(57)【要約】【課題】安価に製作でき、剛性的に強く、振動に対して騒音を発生しがたい液圧装置を提供する。【解決手段】タンク６内に油圧ポンプ４を内蔵し、油圧ポンプ４と電動機３を、アダプタプレート１６を介して連結し、バルブブロック５を搭載して内部部品固定金具１１と一体化し、規格品のパイプを切断した中空の型材からなる筒材カバー２０内に挿入し、直接、内部部品固定金具１１をネジで締結する。そして、筒材カバー２０の両端を端面カバー２２、２３で蓋をしてネジ止めし、取付用ステー２１、２１ａをネジで固定する。【選択図】          図１
2004156656.tif 000002
【特許請求の範囲】
【請求項１】
電動機と、この電動機により駆動される液圧ポンプと、その液圧ポンプに液体を供給するタンクとを少なくとも具備し、これらを一体化した液圧源をカバー内に収容してなるものであって、その液圧源のカバーを中空の型材で形成したことを特徴とする液圧装置。
【発明の詳細な説明】
【０００１】
【発明の属する技術分野】
本発明は、油圧装置などの液圧装置に係わり、特に、産業設備や車輌などに用いる液圧駆動式の液圧源をカバー内に収容した液圧装置に関する。
【０００２】
【従来の技術】
油圧装置などの液圧装置は、産業機械の中でも荷役車輌に多く搭載され、装備された荷役具を駆動する液圧アクチュエータに圧液を供給し、液圧動力を断面積に応じた推力と速度の運動に変換し、直線方向に作動させるものである。
図３に、従来から用いられている油圧装置の構造を示し、（ａ）は正面図、（ｂ）は平面図、（ｃ）は側面図を示す。
油圧装置は、動力発生用の電動機３と、この電動機３により駆動され機械的エネルギーを油の流体エネルギーに変換する油圧ポンプ４と、注油口１２から作動油が注入され油圧ポンプ４に作動油を供給するタンク６と、作動油の流路と流量をコントロールする各種のバルブ及び配管を装備したバルブブロック５と、電動機３と油圧ポンプ４を支持するアダプタプレート１６及び内部部品固定金具１１と、それらを収容する板金製のカバー（板金製カバー２、１５）と、取付用ステー１０とから構成されている。
電動機３にて油圧ポンプ４を駆動すると、タンク６内の作動油を汲み込み、油圧ポンプ４から加圧された作動油が送り出される。作動油はアダプタプレート１６内の各種バルブを通過し、油吐出口１４から吐出され、外部に設けられたシリンダ（液圧アクチュエータ）に送出され、液圧アクチュエータの作動軸を伸縮させる。そして、外部の液圧アクチュエータから戻ってきた作動油は、油吐出口１４からアダプタプレート１６内の流路を通過してタンク６に戻る。
【０００３】
このような油圧装置は電動機３と油圧ポンプ４との間に、アダプタプレート１６と称される支持部材を配設し、内部部品固定金具１１を挟んで、両者の回転軸はカップリングにて結合されている。そして、内部部品固定金具１１は、このように電動機３や油圧ポンプ４を支持すると共に、アダプタプレート１６に装備された、油圧ポンプ４からの作動油を排出するための配管や、作動油の逆流を防いで一方向に流すチェックバルブ（逆止弁）、流路内の圧力が設定圧に達したら作動油の一部又は全量をタンク６内に排出させ流路内の圧力を設定値に保持するリリーフバルブ（圧力制御弁）、流路切替用のソレノイドバルブ（電磁弁）、作動油の流量を制御するフローコントロールバルブ及びその配管などの電気及び油圧関係のバルブブロック５を支持している。そして、板金でできた板金製カバー１５に補強材８が補強されて、内部部品が搭載された内部部品固定金具１１が板金製カバー１５に取り付けられ、板金製カバー２を被せて取付用ステー１０などが装備される。
【０００４】
従来の液圧装置は、油圧ポンプ４と電動機３の間にアダプタプレート１６を介在させ、多数のバルブなどの構成部品を搭載し、板金製などのカバーに補強材８を補強して、上記液圧源を内部部品固定金具１１を介して取り付けているが、剛性を確保するのが難しく、振動による騒音が生じやすく、組み立てに手間がかかるという問題があり、電動機３をカバーに、直接、支持させる構成のものもある（例えば、特許文献１参照。）。
【０００５】
【特許文献１】
特開２００１−４１１６９号公報  （第２−３頁、第１図、第２図）
【０００６】
【発明が解決しようとする課題】
従来の液圧装置は以上のように構成されているが、内部に装備された電動機３、油圧ポンプ４、及び各種バルブから発生する振動による騒音の拡散防止や、電装部品の外部からの水や異物に対する保護のため、周囲を、板金や樹脂成形品などのカバーで囲っている。カバーを板金や樹脂成形品で製作すると、コストが高くつくという問題がある。又、板金で製作した場合、そのままでは強度が低く、ボルト締め付け箇所などで、強度の必要な場所には補強が必要であり、剛性的に弱く、さらに、振動に対して騒音を発生しやすいという問題がある。
【０００７】
本発明は、このような事情に鑑みてなされたものであって、安価に製作でき、剛性的に強く、振動に対して騒音を発生しがたい液圧装置を提供することを目的とする。
【０００８】
【課題を解決するための手段】
上記の目的を達成するため、本発明の液圧装置は、電動機と、この電動機により駆動される液圧ポンプと、その液圧ポンプに液体を供給するタンクとを少なくとも具備し、これらを一体化した液圧源をカバー内に収容してなるものであって、その液圧源のカバーを中空の型材で形成したものである。
【０００９】
本発明の液圧装置は上記のように構成されており、電動機と油圧ポンプとバルブ周辺機器などが、アダプタプレートを介して一体化され、中空の型材、例えば、丸パイプ、角パイプなどの規格品を切断した型材内に直接取り付けられている。
そのため、電動機、油圧ポンプ、各バルブ（チェックバルブ、リリーフバルブ、ソレノイドバルブ、フローコントロールバルブ）などが、剛性の型材のパイプに支持されるので、電動機や油圧ポンプの振動、及び、その振動による騒音を有効に低減することが可能である。従って、液圧装置を夜間や早朝に使用することもできる。そして、中空の型材は規格品を切断したものを用い、部品点数も有効に低減することができ、液圧装置の組み立てを容易にし、コスト低減やメンテナンスの容易化を実現することができる。
【００１０】
【発明の実施の形態】
本発明の液圧装置の一実施例を、図１、図２を参照しながら説明する。図１は本発明の液圧装置の構造を示し、（ａ）は正面図、（ｂ）は平面図、（ｃ）は側面図を示す。図２は本発明の液圧装置の液圧回路を示す。
本発明の液圧装置は、動力発生用の電動機３と、この電動機３により駆動され機械的エネルギーを油の流体エネルギーに変換する油圧ポンプ４と、注油口２４から作動油が注入され油圧ポンプ４に作動油を供給するタンク６と、作動油の流路と流量をコントロールする各種のバルブ及び配管を装備したバルブブロック５と、油圧ポンプ４と電動機３を連結しバルブブロック５を装備し内部部品固定金具１１を取り付けたアダプタプレート１６と、それらを収容する中空の型材からなる筒材カバー２０及び端面カバー２２、２３からなるカバーと、装置を取り付けるための取付用ステー２１、２１ａとから構成される。そして、外部に設けられたシリンダ（液圧アクチュエータ）に液圧装置の作動油が油吐出口１４から吐出され、液圧アクチュエータの作動軸を伸縮作動させるものである。
【００１１】
各部の構成について説明する。電動機３は油圧ポンプ４を駆動するもので、アダプタプレート１６を介して油圧ポンプ４に連結される。
油圧ポンプ４は、タンク６内の油圧回路に用いられ電動機３により駆動され、機械的エネルギーを油の流体エネルギーに変換するもので、ポンプの形式には容量式と非容量式があるが、ここでは容量式のベーンポンプ、歯車ポンプ、プランジャポンプを用いる。
タンク６は、注油口２４から作動油が注入され油圧ポンプ４に作動油を供給するもので、ここではタンク６内に油圧ポンプ４がセットされている。
バルブブロック５は、作動油の流路と流量をコントロールする各種のバルブ及び配管を装備したもので、油圧ポンプ４からの作動油を排出するための配管５ａや、作動油の逆流を防いで一方向に流すチェックバルブ（逆止弁）５４や、流路内の圧力が設定圧に達したら作動油の一部又は全量をタンク６内に排出させ、流路内の圧力を設定値に保持するリリーフバルブ（圧力制御弁）５３及び配管５ｃや、流路切替用のソレノイドバルブ（電磁弁）５１及び配管５ｂや、作動油の流量を制御するフローコントロールバルブ５２及びその配管５ｄを内部に設けたものである。
アダプタプレート１６は、油圧ポンプ４と電動機３を連結しバルブブロック５を装備し、内部部品固定金具１１を取り付けたものである。
カバーは、油圧ポンプ４を含むタンク６と、電動機３と、バルブブロック５を一体として内部部品固定金具１１によって取付収容される外部ケースで、中空の型材からなる筒材カバー２０、その端面カバー２２、２３から構成される。
筒材カバー２０は、剛性のある中空の型材、例えば、規格品の丸パイプ、角パイプなどが用いられ、切断されて、内部部品固定金具１１の取り付け箇所に取付穴の追加加工が行われ、油圧ポンプ４、電動機３、バルブブロック５などが一体となって、内部部品固定金具１１を介して、直接、ネジなどで固定される。そして端面カバー２２、２３も成形品などで製作され、筒材カバー２０の両端が端面カバー２２、２３でネジ止めなどによってふたがされる。そして、両端の端面カバー２２、２３に取付用ステー２１、２１ａがネジ止めされ、装置が所定の場所にセットできるようにされる。
【００１２】
次に作動油の流れについて説明する。電動機３が作動すると、作動油はタンク６から配管４１を通じて油圧ポンプ４に供給され、配管４３ｃとそれに連通するようにバルブブロック５内に設けられた配管５ａ及びその配管５ａ上に設けられたチェックバルブ５４を経て、油圧装置外のシリンダ９に吐出される。その結果、シリンダ９が伸長することになる。また、バルブブロック５内の配管５ａのチェックバルブ５４よりも下流側で分岐する配管５ｂ上に設けられたソレノイドバルブ５１に通電されると、シリンダ９に押し戻される作動油はその配管５ｂからソレノイドバルブ５１及びフローコントロールバルブ５２を通り、配管５ｂを経てタンク６に戻される。このようにして、シリンダ９が縮むことになる。ここで、フローコントロールバルブ５２は、その内部の配管の径を適宜変化させることにより作動油のタンク６への戻り方向の流量を制御し、シリンダ９の縮む速度を制御するものである。また、バルブブロック５では、チェックバルブ５４の上流側にも配管５ａから分岐する配管５ｃを備えており、油圧回路が所定圧力を超えるとその配管５ｃ上に設けたリリーフバルブ５３が開いて、作動油を配管５ｄを通してタンク６に戻すようにしている。
【００１３】
本液圧装置と従来装置の異なる点は、内部の部品構成は同じであるが、それを収容するカバーの構造が異なる。従来の装置はカバーが図３に示すように板金製カバー１５及び２で構成しているが、本装置は中空の型材の筒材カバー２０および端面カバー２２、２３で構成されている点である。そのため、型材を使用しているのでカバーの剛性が比較的高く、内部部品を固定するのに補強材を用いなくてよい。中空の型材は、規格品の丸パイプ、角パイプを切断して用いれば安価にでき、剛性ある中空の型材の中に液圧源を収容するので、内部で発生する低周波の振動に対してカバーが共振しにくい。そして、カバーの構造が簡単になるので組み立ても容易になる。
【００１４】
上記の実施例では、電動機３と油圧ポンプ４及びバルブブロック５を、アダプタプレート１６と内部部品固定金具１１を介してカバーに固定しているが、これらの液圧源のカバーへの固定方法は、いずれの方法であっても、カバーの大半が中空の型材で形成されておれば、同様に適用することができる。
【００１５】
【発明の効果】
本発明の液圧装置は上記のように構成されており、カバーに一体構造になった中空の剛性の高い型材（規格品を切断したもの）が使用され、それの内部に直接、電動機と油圧ポンプとバルブ周辺機器などが、アダプタプレートを介して一体化されたものが取付けられているので、電動機や油圧ポンプの振動による騒音を中空の内部に閉じ込め、板金製に比べカバーの剛性が高くなっており、低周波の振動に対する共振などを発生することが無く低騒音になる。従って、液圧装置を夜間や早朝に使用することもできる。そして、中空の型材に規格品が用いられ部品点数も有効に低減することができ、液圧装置の組み立てを容易にし、コスト低減やメンテナンスの容易化を実現することができる。
【図面の簡単な説明】
【図１】本発明の液圧装置の型材使用の一実施例を示す図である。
【図２】従来の液圧装置の液圧回路を示す図である。
【図３】従来の板金構造の液圧装置を示す図である。
【符号の説明】
２、１５  板金製カバー
３  電動機
４  油圧ポンプ
５  バルブブロック
５ａ、５ｂ、５ｃ、５ｄ  配管
６  タンク
８  補強材
９  シリンダ
１０、２１、２１ａ  取付用ステー
１１  内部部品固定金具
１２  注油口
１４  油吐出口
１６  アダプタプレート
２０  筒材カバー
２２、２３  端面カバー
４１、４３ｃ  配管
５１  ソレノイドバルブ
５２  フローコントロールバルブ
５３  リリーフバルブ
【図１】
2004156656.tif 000003
【図２】
2004156656.tif 000004
【図３】
2004156656.tif 000005